【手続補正書】
【提出日】平成26年7月16日(2014.7.16)
【手続補正１】
【補正対象書類名】特許請求の範囲
【補正対象項目名】全文
【補正方法】変更
【補正の内容】
【特許請求の範囲】
【請求項１】
遊技状態に応じて駆動可能な駆動装置を備えた遊技機において、
前記駆動装置は、
ベース部材と、前記ベース部材上の第一の位置と第二の位置との間を駆動可能な駆動部と、一端が前記駆動部に接続され他端が前記ベース部材に固定された基板に接続された演出接続部材と、を有し、
前記演出接続部材は、前記駆動部が前記第一の位置から前記第二の位置まで移動可能となるようにその両端の間の部位が特定の箇所に固定されておらず、前記駆動部が前記第一の位置に位置するときは撓み、前記駆動部が前記第一の位置から前記第二の位置に移動することによって撓みが減るように構成される一方、前記第二の位置から前記第一の位置に移動することによってその減った撓みが増えるように構成され、
前記駆動部が前記第一の位置と前記第二の位置の間を移動した際の前記演出接続部材の移動軌跡上に位置する突出部を有する遊技部材が設けられ、
前記遊技部材には、前記駆動部が前記第一の位置と前記第二の位置の間を移動した際、前記演出接続部材の両端の間の部位が前記突出部に当接しないように前記演出接続部材の両端の間の部位の移動位置を規制する移動規制部が設けられていることを特徴とする遊技機。
【請求項２】
遊技球が打ち込まれる遊技領域が表面に形成された遊技盤と、前記遊技盤に設けられた前記遊技球が入球可能な複数の入球口と、を備え、
前記遊技部材の前記突出部は、前記入球口に入球した遊技球を遊技機外部に誘導する遊技球経路により構成され、
前記遊技部材には、前記複数の入球口に対応した複数の遊技球経路が形成されるとともに、前記複数の遊技球経路が前記遊技盤に対して前記駆動部の移動方向に間隔を開けて設けられることで空間部が形成され、
前記移動規制部は、前記駆動部が前記第一の位置と前記第二の位置との間を移動した際、前記演出接続部材が前記空間部に進入し、前記遊技球経路に当接しないように前記遊技球経路の少なくとも一部が前記空間部に張り出すように構成されていることを特徴とする請求項１に記載の遊技機。
【請求項３】
前記移動規制部は、前記複数の遊技球経路の裏面を前記空間部を介して一連に繋げて平面状に構成されていることを特徴とする請求項２に記載の遊技機。
【請求項４】
前記演出接続部材の一端が接続された前記基板は、前記突出部の裏面側で固定され、
前記駆動部に接続された前記演出接続部材の他端は、前記駆動部が前記第一の位置に位置しているときは前記突出部の上端と略同一あるいは前記突出部の上端よりも低い位置に位置する一方、前記駆動部が第二の位置に位置しているときは前記突出部の上端よりも高い位置に位置するように構成したことを特徴とする請求項１から請求項３のいずれか一項に記載の遊技機。
【請求項５】
前記基板は、前記第二の位置に位置している前記駆動部よりも前記第一の位置に位置している前記駆動部の近くに設けられていることを特徴とする請求項１から請求項４のいずれか一項に記載の遊技機。
【請求項６】
前記駆動装置は、前記遊技部材と対向する位置に設けられていることを特徴とする請求項１から請求項５のいずれか一項に記載の遊技機。
【請求項７】
前記遊技部材は、前記遊技盤と前記駆動装置との間に位置することを特徴とする請求項１から請求項６のいずれか一項に記載の遊技機。
【手続補正２】
【補正対象書類名】明細書
【補正対象項目名】０００６
【補正方法】変更
【補正の内容】
【０００６】
上記課題を解決するためになされた請求項１の発明にかかる遊技機は、遊技状態に応じて駆動可能な駆動装置を備えた遊技機において、前記駆動装置は、ベース部材と、前記ベース部材上の第一の位置と第二の位置との間を駆動可能な駆動部と、一端が前記駆動部に接続され他端が前記ベース部材に固定された基板に接続された演出接続部材と、を有し、前記演出接続部材は、前記駆動部が前記第一の位置から前記第二の位置まで移動可能となるようにその両端の間の部位が特定の箇所に固定されておらず、前記駆動部が前記第一の位置に位置するときは撓み、前記駆動部が前記第一の位置から前記第二の位置に移動することによって撓みが減るように構成される一方、前記第二の位置から前記第一の位置に移動することによってその減った撓みが増えるように構成され、前記駆動部が前記第一の位置と前記第二の位置の間を移動した際の前記演出接続部材の移動軌跡上に位置する突出部を有する遊技部材が設けられ、前記遊技部材には、前記駆動部が前記第一の位置と前記第二の位置の間を移動した際、前記演出接続部材の両端の間の部位が前記突出部に当接しないように前記演出接続部材の両端の間の部位の移動位置を規制する移動規制部が設けられているところに特徴を有する。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項２に記載の発明は、請求項１に記載の遊技機において、遊技球が打ち込まれる遊技領域が表面に形成された遊技盤と、前記遊技盤に設けられた前記遊技球が入球可能な複数の入球口と、を備え、前記遊技部材の前記突出部は、前記入球口に入球した遊技球を遊技機外部に誘導する遊技球経路により構成され、前記遊技部材には、前記複数の入球口に対応した複数の遊技球経路が形成されるとともに、前記複数の遊技球経路が前記遊技盤に対して前記駆動部の移動方向に間隔を開けて設けられることで空間部が形成され、前記移動規制部は、前記駆動部が前記第一の位置と前記第二の位置との間を移動した際、前記演出接続部材が前記空間部に進入し、前記遊技球経路に当接しないように前記遊技球経路の少なくとも一部が前記空間部に張り出すように構成されているところに特徴を有する。
【手続補正５】
【補正対象書類名】明細書
【補正対象項目名】０００９
【補正方法】変更
【補正の内容】
【０００９】
請求項３に記載の発明は、請求項２に記載の遊技機において、前記移動規制部は、前記複数の遊技球経路の裏面を前記空間部を介して一連に繋げて平面状に構成されているところに特徴を有する。
【手続補正６】
【補正対象書類名】明細書
【補正対象項目名】００１０
【補正方法】変更
【補正の内容】
【００１０】
請求項４に記載の発明は、請求項１から請求項３のいずれか一項に記載の遊技機において、前記演出接続部材の一端が接続された前記基板は、前記突出部の裏面側で固定され、前記駆動部に接続された前記演出接続部材の他端は、前記駆動部が前記第一の位置に位置しているときは前記突出部の上端と略同一あるいは前記突出部の上端よりも低い位置に位置する一方、前記駆動部が第二の位置に位置しているときは前記突出部の上端よりも高い位置に位置するように構成したところに特徴を有する。
【手続補正７】
【補正対象書類名】明細書
【補正対象項目名】００１１
【補正方法】変更
【補正の内容】
【００１１】
請求項５に記載の発明は、請求項１から請求項４のいずれか一項に記載の遊技機において、前記基板は、前記第二の位置に位置している前記駆動部よりも前記第一の位置に位置している前記駆動部の近くに設けられているところに特徴を有する。
【手続補正８】
【補正対象書類名】明細書
【補正対象項目名】００１２
【補正方法】変更
【補正の内容】
【００１２】
請求項６に記載の発明は、請求項１から請求項５のいずれか一項に記載の遊技機において、前記駆動装置は、前記遊技部材と対向する位置に設けられているところに特徴を有する。
【手続補正９】
【補正対象書類名】明細書
【補正対象項目名】００１３
【補正方法】変更
【補正の内容】
【００１３】
請求項７に記載の発明は、請求項１から請求項６のいずれか一項に記載の遊技機において、前記遊技部材は、前記遊技盤と前記駆動装置との間に位置するところに特徴を有する。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
請求項２に記載の発明によれば、遊技球経路同士の間の空間部が、遊技球経路の一部が張り出して構成される移動規制部によって埋められた状態となるから、演出接続部材が空間部に入り込むことによって遊技球経路に引っ掛かってしまうことなどを防止することが可能となる。
【手続補正１２】
【補正対象書類名】明細書
【補正対象項目名】００１７
【補正方法】変更
【補正の内容】
【００１７】
請求項３に記載の発明のように、複数の遊技球経路の裏面を一連に繋げて平面状に構成したものを移動規制部とすれば、簡易な構造で遊技球経路同士の間の空間部を埋めることが可能となる。
【手続補正１３】
【補正対象書類名】明細書
【補正対象項目名】００１８
【補正方法】変更
【補正の内容】
【００１８】
限られたスペースの中で駆動部の大きな駆動範囲を確保するため、請求項４に記載の発明のように、駆動部が第一の位置に位置しているときに演出接続部材の他端を突出部の上端と略同一あるいは突出部の上端よりも低い位置に位置させ、駆動部が第二の位置に位置しているときに演出接続部材の他端を突出部の上端よりも高い位置に位置させるように設定されることがある。このような場合、第二の位置から第一の位置に移動する際、演出接続部材は突出部の上端よりも高い位置から低い位置に移動するため、突出部に引っ掛かってしまうおそれが高いところ、上記のような移動規制部が設けられていれば、演出接続部材が突出部に引っ掛かってしまうことを確実に防止することが可能となる。
【手続補正１４】
【補正対象書類名】明細書
【補正対象項目名】００１９
【補正方法】変更
【補正の内容】
【００１９】
請求項５に記載の発明によれば、基板が第二の位置に位置している駆動部よりも第一の位置に位置している駆動部の近くに設けられるから、駆動部が第一の位置に位置するときに演出接続部材が相対的に大きく撓む構成となり、駆動部が第二の位置に位置するときにおける演出接続部材の撓みを減らすことが可能となる。
【手続補正１５】
【補正対象書類名】明細書
【補正対象項目名】００２０
【補正方法】変更
【補正の内容】
【００２０】
請求項６に記載の発明によれば、遊技部材と対向する位置に駆動装置が設けられることで遊技部材の突出部に演出接続部材が引っ掛かってしまうおそれが高いところ、上記のような移動規制部が設けられていれば、演出接続部材が突出部に引っ掛かってしまうことを確実に防止することが可能となる。
【手続補正１６】
【補正対象書類名】明細書
【補正対象項目名】００２１
【補正方法】変更
【補正の内容】
【００２１】
請求項７に記載の発明によれば、遊技部材が遊技盤と駆動装置との間に位置することで、遊技部材の突出部に演出接続部材が引っ掛かってしまうおそれが高いところ、上記のような移動規制部が設けられていれば、演出接続部材が突出部に引っ掛かってしまうことを確実に防止することが可能となる。